(57)【特許請求の範囲】
【請求項１】
筒状袋本体と、該筒状袋本体に封着される蓋部と、該筒状袋本体に封着される袋立ての底部とを有する筒状袋であって、
該底部と該蓋部はそれぞれ、該筒状袋を通した望ましくない物質移動を防ぐ少なくとも一つの保護層を有し、熱成形により形成され、該底部と該蓋部は、それぞれの中心を通る縦断面において、該筒状袋本体の外側方向に突出し円弧を成す中央部と、該中央部が突出方向と同じ方向に延びる縁部とを有し、
該縁部は本体の縁部と封着することを特徴とする筒状袋。
【請求項２】
前記底部と前記蓋部の少なくとも一方は本体の材料より厚みが大きい材料から成ることを特徴とする請求項１に記載の筒状袋。
【請求項３】
前記底部と前記蓋部の少なくとも一方は、前記筒状袋本体の材料と同じ材料から成ることを特徴とする請求項１又は２に記載の筒状袋。
【請求項４】
前記保護層はアルミ積層材であることを特徴とする請求項１〜３のいずれかに記載の筒状袋。
【請求項５】
前記底部と前記蓋部の少なくとも一方が５０μｍ〜５００μｍの厚みを有していることを特徴とする請求項１〜４のいずれかに記載の筒状袋。
【請求項６】
前記底部と前記蓋部の少なくとも一方が１００μｍ〜４００μｍの厚みを有していることを特徴とする請求項１〜４のいずれかに記載の筒状袋。
【請求項７】
前記底部と前記蓋部の少なくとも一方が１５０μｍ〜３５０μｍの厚みを有していることを特徴とする請求項１〜４のいずれかに記載の筒状袋。
【請求項８】
前記筒状袋本体、前記底部及び前記蓋部が消毒可能であることを特徴とする請求項１〜７のいずれかに記載の筒状袋。
【請求項９】
前記蓋部が、内側に向けて緊縮された縁部を有する少なくとも一つの押圧された孔を有し、
前記蓋部の注ぎ口又は閉じ口が、緊縮された前記縁部に弾力的に嵌め込まれることを特徴とする請求項１〜８のいずれかに記載の筒状袋。
【発明の詳細な説明】
【技術分野】
【０００１】
本発明は、封着袋立ての底部と蓋部を有する筒状袋に関する。
【背景技術】
【０００２】
封着袋立ての底部と蓋部を有する筒状袋は、固体、液体、ペースト状の材料を充填、保管、輸送するために、かなり前から使用されている（特許文献１〜３を参照）。しかし、これら既存の筒状袋には、直立安定性が不十分であるという点（第１の問題）や、筒状袋の構成材料を通して浸透・放散することのない材料、あるいは、筒状袋内に拡散してくる物質と化学作用を起こさない材料にしか適していないという欠点（第２の問題）がある。
【０００３】
一般的に、従来の筒状袋の直立安定性が不十分であるという第１の問題は、スタンド面が概して不安定な、通常は楕円形状を有することに原因があり、スタンド面のこの不安定な構造のために筒状袋が楕円の長手方向に沿って倒れやすくなっている。
【０００４】
第２の問題は、従来の筒状袋では特に袋に侵入又は袋から漏出するガスに関して保護性能が不十分であることが原因であるが、これは、一般的に、保護層が設けられているのは筒状袋本体だけであるためである。これは通常、筒状袋の底部には当てはまらないし、また、蓋部などの上端又は場合によっては肩部などにも当てはまらない。底部や、筒状袋を上端で封止する部材は通常、保護性能を持たない従来の樹脂材料から作られる。このため筒状袋の壁を通過する物質によって、筒状袋のこれら表面において外環境との間で望ましくない物質交換が起きる可能性がある。本発明において「壁」とは、側壁のみならず筒状袋の上端、下端をも含むものとする。
【先行技術文献】
【特許文献】
【０００５】
【特許文献１】独国特許出願公開第１０２２１４３２号明細書
【特許文献２】独国特許出願公開第２１００８３３号明細書
【特許文献３】米国特許第１９２２１７１号明細書
【発明の開示】
【発明が解決しようとする課題】
【０００６】
本発明は、上記従来技術における課題を経済的かつ簡潔な方法で解決することを目的とし、また、筒状袋と、筒状袋に高い直立安定性を与え、筒状袋壁を介した望ましくない物質の浸透及び放散に対して高いシール性を与える、筒状袋の袋立ての底部と上端部を提供することを目的とする。
【課題を解決するための手段】
【０００７】
特許請求の範囲第１項に記載の筒状袋により、上記目的は達成される。
【０００８】
特に、筒状袋本体と、該筒状袋本体に封着される蓋部と、該筒状袋本体に封着される袋立ての底部とを有する筒状袋であって、該底部と該蓋部はそれぞれ、該筒状袋を通した望ましくない物質移動を防ぐ少なくとも一つの保護層を有し、熱成形により形成され、該底部と該蓋部は、それぞれの中心を通る縦断面において、該筒状袋本体の外側方向に突出し円弧を成す中央部と、該中央部が突出方向と同じ方向に延びる縁部とを有し、
該縁部は本体の縁部と封着することを特徴とする筒状袋ことを特徴とする筒状袋により、上記目的は達成される。
【０００９】
本発明によるこの解決法の特徴は、底部が袋立ての底部として理想的な形に形成されていることにある。本発明によれば、底部はある程度剛性を有する所定の形状に形成され、縁部を有することで袋立ての底部を筒状袋本体に封着することができる。
【００１０】
さらに本発明の大きな利点として、底部、蓋部及び肩部の少なくとも何れかが少なくとも一つの保護層を備えることで、筒状袋壁（この場合は特に筒状袋の底部と上端部）を通した望ましくない物質移動を確実に防ぐことができる。保護層材料としては、エチル−ビニルアルコール共重合体（ＥＶＯＨ）、二酸化シリコン（ＳｉＯ2）、特にアルミなどの蒸着金属あるいは金属箔などが好適である。これら保護層材料は単体で用いてもよいし、特に、積層するなどして組み合わせて用いてもよい。これら保護層材料は、封着可能な層の間に配するのが好ましい。
【００１１】
本発明において、袋立ての底部及び、必要に応じて蓋部又は肩部に充分な剛性を与えるため、これらの部材は５０μｍ〜５００μｍ、好適には１００μｍ〜４００μｍ、特に好適には１５０μｍ〜３５０μｍの厚みを有する材料から成る。この材料を用いて熱成形工程により、一つのフィルム片から同時に複数の袋立ての底部を効率良く作製することができる。蓋部又は肩部についても同様である。
【００１２】
好適には、袋立ての底部と蓋部又は肩部が、これら部材の切離時に形成される切断端が筒状袋本体への挿入時に筒状袋の内容物と接触しないような形状を有しているとよく、これにより筒状袋の内容物と保護層材料との間で化学反応が起きる可能性を回避することができる。これは例えば、これら部材の切断端が外部に向くように配することで保証される。
【００１３】
又は、逆に筒状袋本体を袋立ての底部、蓋部又は肩部に挿入することでも、このような接触を避けることができる。
【００１４】
本発明において、袋立ての底部と蓋部又は肩部の作製に熱成形法を用いる大きな利点は、この方法によれば、筒状袋の端部材を同時に大量に製造することができて、これら部材の製造費用を最小限に抑えることができ、経済的な大量生産が可能であることである。さらに、熱成形法によれば、積層材から成り一又は複数の保護層を有する袋立ての底部、蓋部及び肩部を成形することができる。
【００１５】
本発明によれば、底部は筒状袋本体そのものと実質的に同じ材料から成るが、底部又はこれの作製に用いる材料は筒状袋本体又はその材料よりも厚みが大きく従ってより高い剛性を有していてもよい。
【００１６】
筒状袋本体そのものはフィルム片又はエンドレスフィルムからなるラップシールを用いて作製されるか、あるいは、筒状に押出成形される。筒状袋本体に継ぎ目が形成されるラップシールの場合でも押出成形の場合でも、筒状袋本体はほぼ円筒状に形成されるので、本発明における袋立ての底部との組合せにより、高い直立安定性を得ることができる。
【００１７】
ラップシールによる場合でも押出成形（特に同時押出成形）による場合でも、筒状袋本体は一又は複数の保護層を備えている。従って、筒状袋壁を通した望ましくない物質移動を確実に防ぐことができる。
【００１８】
無論、蓋部又は場合によっては設けられる筒状袋の肩部についても同様であり、これらは筒状袋底部と同様にして熱成形することができ、肩部の場合は一又は複数の保護層を備えている。このことは、筒状袋と結合された蓋部又は肩部についても同様である。
【００１９】
一実施形態においては、蓋部がさらに開口部を備え、この開口部に、注ぎ口又は閉じ口を設けるための装着構造を少なくとも一つ備えている。このために、蓋部において、内側に向けて緊縮された縁部を有する孔が設けられ、この孔が平坦に押圧されていることが好ましい。これにより、孔を通じて筒状袋を充填した後に、注ぎ口又は閉じ口を孔の緊縮された縁部に弾力的に嵌め込むことができる。従って、高価な封着工程を省略することができるという利点があるが、無論、これに替えてあるいはこれに加えて封着工程を行なってもよい。
【００２０】
従って筒状袋への充填の直後に、次の閉塞工程を続けて行なうことができる。従って、製造、充填工程中の理想的な衛生状態が得られるという利点がある。
【００２１】
本発明はさらに、筒状袋全体かつ各構成部材、特に底部、肩部、蓋部、筒状袋本体が、消毒可能であるという利点を有する。言い換えると、従来より用いられている筒状袋の消毒方法に対し、化学作用を起こさない材料が用いられている。この結果、蒸気滅菌、酸化エチレンガス滅菌、その他類似の従来より行われている滅菌法を使用することができる。
【００２２】
また、筒状袋本体と、特にこれと一体に封着される底部、好適には袋立て底部と、蓋部又は肩部とを有する筒状袋の製造方法であって、底部が筒状袋本体と実質的に同じ材料から成り、堅固な所定形状を有し、蓋部又は肩部が熱成形により形成され、筒状袋本体の底部と頂部のそれぞれにおいて、底部の封着可能な縁部と蓋部又は肩部の封着可能な縁部とが、筒状袋本体の封着可能な縁部に気密に封着されていることを特徴とする筒状袋の製造方法により、上記本発明の目的は達成される。
【００２３】
本発明のさらなる実施形態は、従属請求項に記載の通りである。
【発明を実施するための最良の形態】
【００２４】
以下、本発明の実施形態につき、図面を参照しながら詳細に説明する。
【００２５】
図１は、袋立ての底部の一例を用いた本発明の筒状袋の製造方法を示す概略図である。
【００２６】
以下の説明中、同一部材や類似の機能を有する部材には同一の参照番号を付している。
【００２７】
図１は、本発明の筒状袋１０の製造方法を右から左にかけて順に示す概略工程図であり、袋立ての底部の一例を略示している。
【００２８】
まず、熱成形によりフィルム片から底部３０を作製する。この熱成形方法においては、互いにまだ連なった状態の複数の底部が作製される。後の工程において底部３０は別々に切り離される。図１においてはこれを破線で示している。
【００２９】
次いで、切り離された底部３０をそれぞれ対応する筒状袋本体２０に、太い矢印で示す方向に挿入する。このため底部３０は、例えば吸着カップその他の保持部材にて保持される。又は、基板上に載せた底部３０に向けて上から筒状袋本体２０を下降させるという方法で底部３０を筒状袋本体２０内に挿入してもよい。底部３０は円形であることが望ましい。ただし、例えば四角や三角、五角や六角等の形で角部を有していてもよい。底部３０を筒状袋本体２０内に挿入した後、底部３０の縁部４０を筒状袋本体の内縁部５０に封着する。封着には、熱エネルギー又は超音波を用いるのが好適である。
【００３０】
ここで、上記の部材は全て、特に図面に示す詳細については、単体であっても組合せであっても、本発明の必須要件として権利請求されている。当業者には自明の通り、これらを変更することもできる。
【図面の簡単な説明】
【００３１】
【図１】袋立ての底部の一例を用いた本発明の筒状袋の製造方法を示す概略図
【符号の説明】
【００３２】
１０  筒状袋
２０  筒状袋本体
３０  底部
４０  底縁部
５０  筒状袋本体縁部
【図１】
0004712795.tif 000002